【事件の表示】
　特願２００４−　３２３７３「画像符号化装置，画像符号化方法，画像復号化装置及び画像復号化方法」拒絶査定不服審判事件〔平成１６年　６月１７日出願公開、特開２００４−１７３３１３〕について、次のとおり審決する。
【結　論】
　本件審判の請求は、成り立たない。
【理　由】
　
　
第Ｉ部　経緯
　
　
１　手続
　
　本件出願は、平成８年８月２２日（優先権主張平成７年８月２３日、特願平７−２１４６７５号）の出願である特願平８−２２１５９２号の一部を、平成１６年２月９日に新たな特許出願（特願２００４−３２３７３号）としたものであって、平成１８年６月９日付けで拒絶理由が通知され、平成１８年１１月２日付けで拒絶査定がなされたものである。
　
　本件は、上記拒絶査定を不服として平成１８年１２月７日付けで請求された拒絶査定不服審判であり、平成１８年１２月２７日付けで手続補正（明細書、特許請求の範囲又は図面について請求の日から３０日以内にする補正）がなされた。
　
　
２　拒絶査定
　
　拒絶査定の理由は、概略次のようなものである。
　
　本件出願の請求項１ないし９に係る発明は、その出願前日本国内において頒布された下記刊行物に記載された発明に基づいて、その出願前にその発明の属する技術の分野における通常の知識を有する者が容易に発明をすることができたものであるから、特許法第２９条第２項の規定により特許を受けることができない。
　
　　　　　　　　　　　　　　　記
　
　刊行物１：特開平０７−０９９６０３号公報
　刊行物２：特開平０６−０９８３１４号公報
　
　
　
第ＩＩ部　平成１８年１２月２７日付け手続補正の却下の決定
　
　
補正却下の決定の結論
　
　平成１８年１２月２７日付け手続補正を却下する。
　
　
補正却下の理由
　
　
１　平成１８年１２月２７日付け手続補正
　
　平成１８年１２月２７日付け手続補正（以下、本件補正という）は、特許請求の範囲の請求項６（補正前）を請求項３（補正後）に補正する補正を含む。
　
１．１　本件補正前の請求項
　
　本件補正前請求項である、平成１６年２月９日付けの願書に最初に添付された特許請求の範囲の請求項６（以下、「本件補正前請求項６」という。）に記載される発明は、以下のとおりものである。
　
「【請求項６】
　画面内符号化画像を少なくとも１枚有する画面群構造を形成するように符号化された動画像を復号する画像復号装置において、
　上記動画像を復号する復号手段と、
　上記復号された動画像に冗長フィールドを挿入する挿入手段と、
　上記各画面群構造内の最初の画像情報が、予め決められたフィールドパリティとされていることに基づいて、上記画像情報の復号化を制御する制御手段と
　を有することを特徴とする画像復号化装置。」
　
１．２　本件補正後の請求項
　
　前記１．１の内容について、出願人は本件補正前請求項６に係る発明を、本件補正において、特許請求の範囲の請求項３に係る発明として、以下に記載されるように補正している。
　
「【請求項３】
　画面内符号化画像を少なくとも１枚有する画面群構造を形成するように符号化された動画像を復号する画像復号装置において、
　上記動画像を復号する復号手段と、
　上記復号された動画像に冗長フィールドを挿入する挿入手段と、
　最初の画像情報のフィールドパリティを示す第一の付属情報並びに冗長フィールドを省略したことを示す第二の付属情報、及び上記各画面群構造内の最初の画像情報が、予め決められたフィールドパリティとされていることに基づいて、上記画像情報の復号化を制御する制御手段と
　を有することを特徴とする画像復号化装置。」
　
１．３　補正事項
　
　上記特許請求の範囲に係る補正は、次の補正事項からなる。
　
　「上記各画面群構造内の最初の画像情報が、予め決められたフィールドパリティとされていることに基づいて、上記画像情報の復号化を制御する制御手段」（補正前）を「『最初の画像情報のフィールドパリティを示す第一の付属情報並びに冗長フィールドを省略したことを示す第二の付属情報、及び』上記各画面群構造内の最初の画像情報が、予め決められたフィールドパリティとされていることに基づいて、上記画像情報の復号化を制御する制御手段」（補正後）とする補正。（具体的には、上記『』部分が付加された。）
　
　
２　補正の検討
　
２．１　補正事項の検討
　
　本件補正事項は、画像情報の復号化を制御するに際して、「上記画像情報の復号化を制御する」ことに、「上記各画面群構造内の最初の画像情報が、予め決められたフィールドパリティとされていること」を、「及び」で加えて「最初の画像情報のフィールドパリティを示す第一の付属情報並びに冗長フィールドを省略したことを示す第二の付属情報」にも基づくように限定したものである。
　該加えられた２つの付属情報にも基づくとする限定は、「復号化を制御する制御手段」についての機能の一部を限定するものであるから、特許法第３６条第５項の規定により請求項に記載した発明を特定するために必要な事項を限定するものであり、その補正前の当該請求項に記載された発明とその補正後の当該請求項に記載される発明の産業上の利用分野及び解決しようとする課題が同一である。したがって、本件補正事項は、平成１４年法律第２４号改正附則第２条第１項によりなお従前の例によるとされる同法による改正前の特許法第１７条の２第４項第２号の特許請求の範囲の減縮に該当する。
　
３　独立して特許を受けることができる発明であるかの検討
　
　上記のとおり、本件補正事項は、特許請求の範囲の減縮を目的とするものであるから、さらに、本件補正に係る発明が、平成１８年法律第５５号改正附則第３条第１項によりなお従前の例によるとされる同法による改正前の特許法第１７条の２第５項において準用する同法第１２６条第５項の規定に適合するか（独立して特許を受けることができる発明であるか）について検討する。
　
３．１　補正後発明
　
　本件補正後の請求項３に係る発明は、平成１８年１２月２７日付け手続補正書により補正された明細書、特許請求の範囲及び図面の記載からみて、その特許請求の範囲の請求項３に記載された事項により特定されるとおりのものであるところ、該補正後の特許請求の範囲の請求項３に係る発明（以下「補正後発明」という。）は、次のとおりのものである。
　
「【請求項３】
　画面内符号化画像を少なくとも１枚有する画面群構造を形成するように符号化された動画像を復号する画像復号装置において、
　上記動画像を復号する復号手段と、
　上記復号された動画像に冗長フィールドを挿入する挿入手段と、
　最初の画像情報のフィールドパリティを示す第一の付属情報並びに冗長フィールドを省略したことを示す第二の付属情報、及び上記各画面群構造内の最初の画像情報が、予め決められたフィールドパリティとされていることに基づいて、上記画像情報の復号化を制御する制御手段と
　を有することを特徴とする画像復号化装置。」
　
　ここで、上記請求項３に記載の「画面内符号化画像を少なくとも１枚有する画面群構造」、「最初の画像情報のフィールドパリティを示す第一の付属情報」並びに「冗長フィールドを省略したことを示す第二の付属情報」、及び「各画面群構造内の最初の画像情報」という構成の文言は、本件補正後の明細書の詳細な説明に明記されていないため、当該構成が具体的にどのようなものを含む概念であるのか検討する。
　
　補正後明細書には該構成に係る次の記載がある。
　
（以下、補正後明細書の記載）
　
【００１０】
  次に、いわゆるＭＰＥＧ２ではインタレースフレームを符号化する方法を標準化しており、各符号化インタレースフレームのヘッダ情報に、そのインタレースフレームを画面表示する場合に、トップフィールド（Ｔｏｐ ｆｉｅｌｄ）及びボトムフィールド（Ｂｏｔｔｏｍ ｆｉｅｌｄ）のどちらをはじめに出力するかを示すフラグである、トップフィールドファーストフラグ（ｔｏｐ ｆｉｅｌｄｆｉｒｓｔ ｆｌａｇ）を伝送する。このフラグが「１」のときトップフィールドを先に表示し、該フラグが「０」のときボトムフィールドを先に表示するようになっている。
　
【００１３】
  ３：２プルダウンされた動画像を符号化する場合、原入力画像から３フィールドで読み出されたコマを検出し、冗長な繰り返しフィールドを取り除き、これを符号化しないことでデータを削減する。図１１の（ｃ）は、原入力画像から冗長フィールドを除去する例を示している。そして、ＭＰＥＧ２では、それぞれのフレームについて、上記トップフィールドファーストフラグ、及び、符号化側で冗長フィールドを除去したことを示すリピートファーストフィールドフラグ（ｒｅｐｅａｔ ｆｉｒｓｔ ｆｉｅｌｄ ｆｌａｇ）を伝送する。
【００１４】
  図１１の（ｃ）の例では、トップフィールドファーストフラグは、１番目と２番目のフレームではトップフィールドが先に表示されるため「１」であり、３番目と４番目のフレームではボトムフィールドが先に表示されるため「０」となる。また、リピートファーストフィールドフラグは、２番目と４番目のフレームでは、冗長フィールドが除去されるので「１」となり、それ以外は、冗長フィールドが存在しないため「０」となる。
【００１５】
  次に、復号器側では、図１１の（ｆ）に示すようにトップフィールドファーストフラグ及びリピートファーストフィールドフラグを検出し、原入力画像と同じ３：２プルダウンのパターンをもつ動画像を再構成する。すなわち、トップフィールドファーストフラグにより、トップフィールド及びボトムフィールドのうち、どちらのフィールドを先に出力するかを判断し、リピートファーストフィールドフラグにより、繰り返しフィールドを出力するか否かを決定する。
　
【００３９】
　まず、本発明に係る画像符号化方法及び画像符号化装置は、それぞれ図１に示すような画像記録再生装置の記録系１に適用することができる。この記録系１は、例えば映画フィルムに記録された各コマの再生信号をテレビジョン信号に変換して出力するシネマ／テレビジョン変換装置（テレシネ装置）からの画像データを、いわゆるＭＰＥＧ２方式に基づいて圧縮符号化して光ディスク２に記録するものであり、該テレシネ装置から供給される画像データ中、後に説明する冗長フィールドが存在する場合この冗長フィールドを検出すると共に、トップフィールドファーストフラグ（ｔｏｐ＿ｆｉｅｌｄ＿ｆｉｒｓｔ＿ｆｌａｇ）及びリピートファーストフィールドフラグ（ｒｅｐｅａｔ＿ｆｉｒｓｔ＿ｆｉｅｌｄ＿ｆｌａｇ）を出力する冗長フィールド検出器３を有している。
【００４０】
　また、上記記録系１は、上記冗長フィールド検出器３からの検出出力が供給された場合、上記画像データから冗長フィールドを除去する冗長フィールド除去器４と、上記画像データを、圧縮符号化処理を行う１単位である処理ブロック単位に変換するスキャンコンバータ５と、上記冗長フィールド検出器３から供給されるトップフィールドファーストフラグ及びリピートファーストフィールドフラグに基づいて画像データの圧縮符号化タイプを制御するための画像符号化タイプデータを出力すると共に、各グループ・オブ・ピクチャ（ＧＯＰ：Ｇｒｏｕｐ　Ｏｆ　Ｐｉｃｔｕｒｅ）の識別子としてのＧＯＰスタートコードを出力するコントローラ８とを有している。
【００４１】
　また、上記記録系１は、上記トップフィールドファーストフラグ，リピートファーストフィールドフラグ，画像符号化タイプデータに基づいて、画像データに圧縮符号化処理を施して光ディスク２に記録する符号化器７を有している。
　
【００４３】
　上記３：２プルダウン処理を４コマＭＦ１〜ＭＦ４で繰り返し行うことにより、図８の（ｂ）に示すようにコマＭＦ２，コマＭＦ６・・・にトップフィールド（ＴＦ）の冗長フィールド（ＴＦ´）が形成され、コマＭＦ４，コマＭＦ８・・・にボトムフィールド（ＢＦ）の冗長フィールド（ＢＦ´）が形成される。このため、冗長フィールド検出器３は、２フィールド間の等しさの度合に閾値を設け、例えば２フィールド間の画素の絶対値差分和が所定の閾値より小さい場合にそのフィールドは冗長フィールドであると判断することにより、フィールドパリティ（トップフィールド又はボトムフィールド）の同じ連続した２フィールドが繰り返された画像であるか否かを検出する。そして、そのフィールドが冗長フィールドである場合は、例えば「０」の検出出力を、又そのフィールドが冗長フィールドでない場合は「１」の検出出力を、それぞれ冗長フィールド除去器４に供給する。
　
（以上、補正後明細書の記載）
　
　上記補正後明細書段落【００３９】に記載されるように、補正後発明に係る光ディスク２に記録されるデータのフォーマットはＭＰＥＧ２方式であり、該ＭＰＥＧ２方式に係るＭＰＥＧ２ビデオ規格は、補正後発明の属する技術の分野の通常の知識を有する者（以下、「当業者」という。）に知られているものである。
　該ＭＰＥＧ２ビデオ規格では、画像データは、データ構造が６層とされており、該画像データのランダムアクセスを可能とするために、フレーム内符号化画面が少なくとも１枚入った画面群構造であるＧＯＰ（Ｇｒｏｕｐ　Ｏｆ　Ｐｉｃｔｕｒｅ）を形成することが、該データ構造のＧＯＰ層において定義されている。
　したがって、上記請求項３に記載の「画面内符号化画像を少なくとも１枚有する画面群構造」は「ＧＯＰ」を含むといえる。
　
　また、上記ピクチャ層のヘッダ情報のピクチャ符号化機能拡張（Ｐｉｃｔｕｒｅ　Ｃｏｄｉｎｇ　Ｅｘｔｅｎｓｉｏｎ）部において、ピクチャがフレーム構造である場合、最初のフィールドが上位フィールドであるのか下位フィールドであるのかを示すＴＦＦ（Ｔｏｐ　Ｆｉｅｌｄ　Ｆｉｒｓｔ）、および、２：３プルダウンの際に使われるＲＦＦ（Ｒｅｐｅａｔ　Ｆｉｒｓｔ　Ｆｉｅｌｄ）というフラグを記録することができるようになっている。（例えば、参考文献「藤原洋監修，ポイント図解式　最新ＭＰＥＧ教科書，株式会社アスキー，１９９４年　８月　１日，ｐ．１５５−１６５」参照。）
　そして、上記補正後明細書の記載から、補正後発明でも、この２つのフラグを利用しており（段落【００４１】）、「トップフィールドファーストフラグ」は「そのインタレースフレームを画面表示する場合に、トップフィールド（Ｔｏｐ ｆｉｅｌｄ）及びボトムフィールド（Ｂｏｔｔｏｍ ｆｉｅｌｄ）のどちらをはじめに出力するかを示すフラグ」であり、「リピートファーストフィールドフラグ」は、「符号化側で冗長フィールドを除去したことを示すフラグ」であり（段落【００１０】、【００１３】−【００１５】）、補正後発明の「フィールドパリティ」とは、「トップフィールドかボトムフィールド」のどちらかである（段落【００４３】）。
　してみると、補正後発明の「最初の画像情報のフィールドパリティを示す第一の付属情報」は、ピクチャ符号化機能拡張部に記録される上記「トップフィールドファーストフラグ」（ＴＦＦ）を含み、同様に「冗長フィールドを省略したことを示す第二の付属情報」は、上記「リピートファーストフィールドフラグ」（ＲＦＦ）を含むといえる。
　したがって、上記請求項３に記載の「最初の画像情報のフィールドパリティを示す第一の付属情報」は、ピクチャ符号化機能拡張部に記載される「トップフィールドファーストフラグ」を含み、同様に「冗長フィールドを省略したことを示す第二の付属情報」は、「リピートファーストフィールドフラグ」を含むといえる。
　
　
３．２　刊行物の記載
　
３．２．１　特開平７−９９６０３号公報
　
　特開平７−９９６０３号公報（以下「刊行物１」という。）には、図面とともに以下の記載がある。
　
（以下、刊行物１の記載）
　
【発明の詳細な説明】
【０００１】
【産業上の利用分野】本発明は、動画像信号（ビデオ信号）を符号化するビデオ信号符号化方法及びそれに対応するビデオ信号符号化装置と、この符号化されたデータを復号化する復号化方法及びそれに対応するビデオ信号復号化装置と、符号化されたデータが記録されるビデオ信号記録メディアに関するものである。
【０００２】
【従来の技術】動画像の代表的な高能率符号化方式として、ＭＰＥＧ（蓄積用動画像符号化）方式がある。これは、ＩＳＯ−ＩＥＣ／ＪＴＣ１／ＳＣ２／ＷＧ１１にて議論され標準案として提案されたものであり、動き補償予測符号化とＤＣＴ（Ｄｉｓｃｒｅｔｅ　Ｃｏｓｉｎｅ　Ｔｒａｎｓｆｏｒｍ）符号化を組み合わせたハイブリッド方式が採用されている。
　
【０００４】
【発明が解決しようとする課題】ところで、上記ＭＰＥＧは、基本的にノンインタレース信号を対象とした符号化技術であるため、インタレース信号に適用しようとすると情報圧縮の効率上、問題が生ずる。
【０００５】ここで、上記インターレース信号として、例えば、映画などのフィルムソースをインタレースビデオ信号に変換したものを例に挙げて説明する。この映画等のフィルムソースをインターレースビデオ信号に変換する場合（いわゆるテレシネ変換）は、いわゆる２−３プルダウン（ｐｕｌｌｄｏｗｎ）という手法が広く用いられている。上記２−３プルダウンの原理を図１８に示す。
　
【００１０】そこで、本発明は、上述したようなことに鑑み、２−３プルダウンの手法を用いるテレシネ変換により得られたビデオ信号に対して、効率の良い符号化を可能とするビデオ信号符号化方法及び装置、これに対応するビデオ信号復号化方法及び装置、さらにその符号化データが記録されるビデオ信号記録メディアを提供することを目的としている。
　
【００２１】すなわち、言い換えれば、本発明は、（１）映画などのフィルムソースを２−３プルダウン（ｐｕｌｌｄｏｗｎ）により変換して、６０Ｈｚのフィールド単位で入力されてくるビデオ信号に対し、２−３プルダウンにおいて重複されているフィールドを検出し、その検出信号に従って、その重複するフィールドを取り除き、レート変換により２４Ｈｚのフレームを単位とする画像信号に変換し、フレームを単位として画像の符号化を行なえることを特徴とする画像処理装置（動画像ビデオ信号符号化装置）を提供し、（２）符号化された情報から２４Ｈｚのフレームを単位としたノンインタレースの画像を復号し、レート変換により６０Ｈｚのフィールド単位のビデオ信号に変換し、再生することを特徴とする画像処理装置（動画像ビデオ信号復号化装置）を提供するものである。
　
【００４６】先ず、符号化装置１００の説明をする。６０Ｈｚのビデオ信号ＶＩは、２−３プルダウン検出回路１０２に送られる。ここでは、重複されているフィールドを検出する。その検出信号であるフィールドモード変更信号ＦＭＣが重複したフィールドを示している場合には、次のレート変換回路１０３によって、上記の重複しているフィールドが取り除かれる。その出力がフィールド順序入れ換え回路１０４に送られる。
【００４７】フィールド順序入れ換え回路１０４は、レート変換されたフィールドを符号化する順になるように順序を入れ換える。当該変換された画像信号は、符号器１０５によって圧縮や符号化処理が行われ、その符号化出力はＥＣＣ回路１０６で誤り訂正符号が付加された後、変調回路１０７によって変調され、メディア１０８に記録される。また、本実施例では、同時にそのフレームの表示方法を示すフラグ（後述するＤＳＯ、ＤＦＮ）を符号化しメディア１０８に記録するようにする。
【００４８】次に、復号化装置１０１の説明をする。メディア１０９に記録された信号は、取り出され、復調回路１１０によって復調される。その復調信号はＥＣＣデコード回路１１１によってエラーが訂正された後、復号器１１２によって２４Ｈｚのフレームを単位とした画像として復号化される。
【００４９】その復号化出力は、レート変換回路１１３によって、元画像の時系列の順に並び替えられ、６０Ｈｚのフィールド信号に変換され、これにより６０Ｈｚのビデオ信号ＶＯを再生することができる。
　
【００５３】また、本実施例のレート変換回路１０３は、フィールドの出力順を示す信号ＤＳＯ（後述するｔｏｐ＿ｆｉｅｌｄ＿ｆｉｒｓｔ）をも出力する。当該信号ＤＳＯは、ＤＳＯ＝１であるフレームの場合には後の表示の際に第１フィールドを先に表示し、ついで第２フィールドを表示することを示す信号である。また、ＤＳＯ＝０であるフレームは第２フィールドを先に出力し、ついで第１フィールドを出力することを示すことになる。なお、当該信号ＤＳＯは０または１の値のみをとる１ビットのフラグである。
【００５４】さらに、レート変換回路１０３は、あるフレームを表示する際に、２フィールドを表示するかまたは３フィールド表示するかを示すフラグＤＦＮ（後述するｎｕｍｂｅｒ＿ｏｆ＿ｆｉｅｌｄ＿ｄｉｓｐｌａｙｅｄ＿ｃｏｄｅ）をも出力する。当該フラグＤＦＮは、ＤＦＮ＝１の場合、当該フレームが３フィールド表示されることを示すフラグである。これに対し、ＤＦＮ＝０の場合、当該フレームが２フィールド表示されることになる。なおＤＦＮは０または１のみをとる１ビットのフラグである。
　
【００８２】（第１の記録方法）ＭＰＥＧ２において、画像シーケンスの先頭に位置する後述するシーケンスヘッダには、そのシーケンスがノンインタレース画像であることを示すフラグ（ｎｏｎ＿ｉｎｔｅｒｌａｃｅｄ＿ｓｅｑｕｅｎｃｅ）及びピクチャレート（ｆｒａｍｅ＿ｒａｔｅ）が記録されている。したがって、可変長符号化器４０６はｆｒａｍｅ＿ｒａｔｅを２４Ｈｚまたは２３．９７６Ｈｚに設定し、ｎｏｎ＿ｉｎｔｅｒｌａｃｅｄ＿ｓｅｑｕｅｎｃｅを０に設定する。
【００８３】次にどのフィールドを繰り返して表示するかを示すフラグであるが、これはレート変換回路１０３から入力されるフラグＤＳＯ、ＤＦＮを用いる。このＤＳＯ（ｔｏｐ＿ｆｉｅｌｄ＿ｆｉｒｓｔ）およびＤＦＮ（ｎｕｍｂｅｒ＿ｏｆ＿ｆｉｅｌｄ＿ｄｉｓｐｌａｙｅｄ＿ｃｏｄｅ）をピクチャヘッダに記録するようにする。ここで、ＤＳＯ＝１の時は、第１フィールドを先に表示する。またＤＳＯ＝０の時は、第２フィールドを先に表示する。さらにＤＦＮ＝０の時は、２フィールド表示を行う。また、ＤＦＮ＝１の時は、３フィールド表示を行なう。
　
【０１０９】さらに、ｔｏｐ＿ｆｉｅｌｄ＿ｆｉｒｓｔは１ビットのフラグで、このビットの意味はピクチャストラクチャに依存する。フレームピクチャでは、ｔｏｐ＿ｆｉｅｌｄ＿ｆｉｒｓｔが１に設定されているのは、フレーム内のトップフィールドが先に表示されるフィールドに対応することを示している。逆に、０に設定されている場合、フレーム内のボトムフィールドが先に表示されるフィールドであることを示す。またフィールドストラクチャピクチャ（ｎｏｎ＿ｉｎｔｅｒｌａｃｅｄ＿ｓｅｑｕｅｎｃｅが１に設定されたプログレッシブ画像も含む。）、ｔｏｐ＿ｆｉｅｌｄ＿ｆｉｒｓｔは常に０に設定される。
　
【０１３５】この図１５において、復号器１１２の入力信号は、バッファ７０１に一時蓄積される。次に、逆可変長符号化器７０２によって符号化ビットストリームから取り出した情報に従ってブロック毎に逆量子化器７０３によって逆量子化された後、逆ＤＣＴ回路７０４によって逆ＤＣＴされる。なお、逆量子化器７０３、逆ＤＣＴ回路７０４は、図１１の符号器における量子化器４０５、ＤＣＴ回路５０４と相補的な構成とされる。
【０１３６】予測器７１１はこれらブロック毎に処理された逆ＤＣＴの出力より、画像を再現するためのものである。また、可変長符号化器７０２は、フィールドモード変更信号ＦＭＣを復号し、除去されたフィールドである場合には重複すべきフィールドから画像を複製してフィールドを再構成しセレクタ７０６より画像信号として出力する。
　
【０１４２】次に、前記第１の記録方法でビットストリームが記録されている場合について動作を説明する。ｎｏｎ＿ｉｎｔｅｒｌａｃｅｄ＿ｓｅｑｕｅｎｃｅが０でｆｒａｍｅ＿ｒａｔｅが２４Ｈｚまたは２３．９７６Ｈｚの場合、そのビットストリームは第１の方法で記録されていることがわかる。この場合、ｔｏｐ＿ｆｉｅｌｄ＿ｆｉｒｓｔおよびｎｕｍｂｅｒ＿ｏｆ＿ｆｉｅｌｄ＿ｄｉｓｐｌａｙｅｄ＿ｃｏｄｅより、どのフィールドを重複して出力するのかがわかる。図１７に出力の方法を示す。この場合、元画像と同じフィールドが重複して出力される。
　
【図面の簡単な説明】
【図７】第２の実施例の符号化装置及び復号化装置の構成を示すブロック回路図である。
【図１５】第２の実施例の復号化装置の復号器の構成を示すブロック回路図である。
【図１７】第２の実施例の復号化装置のレート変換装置における出力の方法を説明する為の図である。
　
（以上、刊行物１の記載）
　
　図１７には、復号化装置のレート変換装置の動作において、ＤＳＯ＝１でＤＦＮ＝０のときは、まずＡフィールドを表示し、続いてＢフィールドを表示し、重複して表示するフィールドはなく、ＤＳＯ＝１でＤＦＮ＝１のときは、まずＡフィールドを表示し、続いてＢフィールドを表示し、さらにＡフィールドを重複して再表示（つまり、Ａ−Ｂ−Ａの順で出力）し、ＤＳＯ＝０でＤＦＮ＝０のときは、まずＢフィールドを表示し、続いてＡフィールドを表示し、重複して表示するフィールドはなく、ＤＳＯ＝０でＤＦＮ＝１のときは、まずＢフィールドを表示し、続いてＡフィールドを表示し、さらにＢフィールドを重複して再表示（つまり、Ｂ−Ａ−Ｂの順で出力）することが記載されている。
　
　
３．２．２　引用発明
　
　上記の刊行物１の「（２）符号化された情報から２４Ｈｚのフレームを単位としたノンインタレースの画像を復号し、レート変換により６０Ｈｚのフィールド単位のビデオ信号に変換し、再生することを特徴とする画像処理装置（動画像ビデオ信号復号化装置）を提供するものである」（段落【００２１】）という記載から、
刊行物１には、
「動画像ビデオ信号復号化装置」
に関する発明が記載されている。
　そして、「符号化されたデータが記録されるビデオ信号記録メディアに関する」（段落【０００１】）、「動画像の代表的な高能率符号化方式として、ＭＰＥＧ（蓄積用動画像符号化）方式がある。」（段落【０００２】）、「上記ＭＰＥＧは、」「インタレース信号に適用しようとすると」「問題が生ずる。」（段落【０００４】）、「ここで、上記インターレース信号として、例えば、」「映画等のフィルムソースをインターレースビデオ信号に変換する（いわゆるテレシネ変換）は、いわゆる２−３プルダウン（ｐｕｌｌｄｏｗｎ）という手法が広く用いられている。」（段落【００５】）、「そこで、本発明は、」「２−３プルダウンの手法を用いるテレシネ変換により得られたビデオ信号に対して、」「符号化を可能とするビデオ信号符号化方法及び装置、これに対応するビデオ信号復号化方法及び装置、さらにその符号化データが記録されるビデオ信号記録メディアを提供する」（段落【００１０】）という記載から、
上記復号化装置の復号化の対象となっている「動画像ビデオ信号」である上記「符号化された情報」は、
「ＭＰＥＧ方式で符号化された動画像を記録したビデオ信号」
であるといえる。
　したがって、これらをまとめると、刊行物１には、
「ＭＰＥＧ方式で符号化された動画像を記録したビデオ信号を復号化する動画像ビデオ信号復号化装置」
が記載されているといえる。
　
　上記刊行物１に記載される第２の実施例の第１の記録方法とその復号方法に係る「動画像ビデオ信号復号化装置」において、
　上記の刊行物１の「復号化装置１０１の」「メディア１０９に記録された信号は、取り出され、復調回路１１０によって復調される。その復調信号はＥＣＣデコード回路１１１によってエラーが訂正された後、復号器１１２によって２４Ｈｚのフレームを単位とした画像として復号化される。」（段落【００４８】）「その復号化出力は、６０Ｈｚのフィールド信号に変換され」（段落【００４９】）る、「【図７】第２の実施例の符号化装置及び復号化装置の構成を示すブロック回路図である。」（【図面の簡単な説明】）という記載、および図７から、
刊行物１の「動画像ビデオ信号復号化装置」は、
「メディアから取り出され、復調され、エラー訂正された信号を復号化し、出力する復号器」
を有しているといえる。
　そして、
　上記の刊行物１の「符号化装置１００」「では、重複されているフィールドを検出する。」「その検出信号」「が重複したフィールドを示している場合には、」「重複しているフィールドが取り除かれる。」（段落【００４６】）、「復号器１１２の入力信号は、」「逆量子化された後、」「逆ＤＣＴされる。」（段落【０１３５】）、「逆ＤＣＴの出力より、画像を再現するため」「除去されたフィールドである場合には重複すべきフィールドから画像を複製してフィールドを再構成しセレクタ７０６より画像信号として出力する。」（段落【０１３６】）、「【図１５】第２の実施例の復号化装置の復号器の構成を示すブロック回路図である」（【図面の簡単な説明】）という記載、および図１５から、
刊行物１の「動画像ビデオ信号復号化装置」の「前記復号器」は、
「符号化装置で除去された重複すべきフィールドから画像を複製してフィールドを再構成し、出力するもの」
であるといえる。
　
　同じく、上記の刊行物１の「そのフレームの表示方法を示すフラグ（後述するＤＳＯ、ＤＦＮ」（段落【００４７】）、「本実施例のレート変換回路１０３は、フィールドの出力順を示す信号ＤＳＯ（後述するｔｏｐ＿ｆｉｅｌｄ＿ｆｉｒｓｔ）をも出力する。」（段落【００５３】）、「このＤＳＯ（ｔｏｐ＿ｆｉｅｌｄ＿ｆｉｒｓｔ）」「をピクチャヘッダに記録するようにする。ここで、ＤＳＯ＝１の時は、第１フィールドを先に表示する。またＤＳＯ＝０の時は、第２フィールドを先に表示する。」（段落【００８３】）という記載から、
刊行物１の「動画像ビデオ信号復号化装置」では、
「前記メディアに記録されている信号のピクチャヘッダには、第１フィールドを先に表示するか第２フィールドを先に表示するかを示すフラグであるＤＳＯ（ｔｏｐ＿ｆｉｅｌｄ＿ｆｉｒｓｔ）が含まれる」
といえる。
　
　同じく、上記の刊行物１の「そのフレームの表示方法を示すフラグ（後述するＤＳＯ、ＤＦＮ」（段落【００４７】）、「レート変換回路１０３は、あるフレームを表示する際に、２フィールドを表示するかまたは３フィールド表示するかを示すフラグＤＦＮ（後述するｎｕｍｂｅｒ＿ｏｆ＿ｆｉｅｌｄ＿ｄｉｓｐｌａｙｅｄ＿ｃｏｄｅ）をも出力する。」（段落【００５４】）、「ＤＦＮ（ｎｕｍｂｅｒ＿ｏｆ＿ｆｉｅｌｄ＿ｄｉｓｐｌａｙｅｄ＿ｃｏｄｅ）をピクチャヘッダに記録するようにする。ここで、」「ＤＦＮ＝０の時は、２フィールド表示を行う。また、ＤＦＮ＝１の時は、３フィールド表示を行なう。」（段落【００８３】）という記載から、
刊行物１の「動画像ビデオ信号復号化装置」では、
「前記メディアに記録されている信号のピクチャヘッダには、２フィールド表示を行うか３フィールド表示を行うかを示すフラグであるＤＦＮ（ｎｕｍｂｅｒ＿ｏｆ＿ｆｉｅｌｄ＿ｄｉｓｐｌａｙｅｄ＿ｃｏｄｅ）が含まれる」
といえる。
　
　同じく、上記の刊行物１の「ｔｏｐ＿ｆｉｅｌｄ＿ｆｉｒｓｔは１ビットのフラグで、」「フレームピクチャでは、ｔｏｐ＿ｆｉｅｌｄ＿ｆｉｒｓｔが１に設定されているのは、フレーム内のトップフィールドが先に表示されるフィールド」、「逆に、０に設定されている場合、フレーム内のボトムフィールドが先に表示されるフィールドであることを示す。」（段落【０１０９】）、「第１の方法で記録されている」「場合、」「ｔｏｐ＿ｆｉｅｌｄ＿ｆｉｒｓｔおよびｎｕｍｂｅｒ＿ｏｆ＿ｆｉｅｌｄ＿ｄｉｓｐｌａｙｅｄ＿ｃｏｄｅより、どのフィールドを重複して出力するのかがわかる。」「この場合、元画像と同じフィールドが重複して出力される。」（段落【０１４２】）という記載および、上記「ｔｏｐ＿ｆｉｅｌｄ＿ｆｉｒｓｔ」は「前記ＤＳＯ」であり、「ｎｕｍｂｅｒ＿ｏｆ＿ｆｉｅｌｄ＿ｄｉｓｐｌａｙｅｄ＿ｃｏｄｅ」は「前記ＤＦＮ」であることから、
刊行物１には、
「前記復号器において、前記ＤＳＯでフレーム内の先に表示されるフィールドがわかり、前記ＤＳＯおよび前記ＤＦＮより、元画像と同じフィールドである重複して出力するフィールドがどのフィールドであるかがわかる」
ことが記載されているといえる。
　また、同じく、上記の刊行物１の【図１７】には、「復号化装置のレート変換装置の動作において、ＤＳＯ＝１でＤＦＮ＝０のときは、まずＡフィールドを表示し、続いてＢフィールドを表示し、重複して表示するフィールドはなく、ＤＳＯ＝１でＤＦＮ＝１のときは、まずＡフィールドを表示し、続いてＢフィールドを表示し、さらにＡフィールドを重複して再表示（つまり、Ａ−Ｂ−Ａの順で出力）し、ＤＳＯ＝０でＤＦＮ＝０のときは、まずＢフィールドを表示し、続いてＡフィールドを表示し、重複して表示するフィールドはなく、ＤＳＯ＝０でＤＦＮ＝１のときは、まずＢフィールドを表示し、続いてＡフィールドを表示し、さらにＢフィールドを重複して再表示（つまり、Ｂ−Ａ−Ｂの順で出力）すること」が記載されているから、
刊行物１には、
「前記先に表示するフィールドは、ＤＳＯ＝１のときはＡフィールド、ＤＳＯ＝０のときは、Ｂフィールドとし、ＤＦＮ＝１のときにはフィールドを重複して表示し、前記重複すべきフィールドは、ＤＳＯ＝１ならばＡフィールド、ＤＳＯ＝０ならばＢフィールドとする」
ことが記載されているといえる。
　
　これらをまとめると、刊行物１の「動画像ビデオ信号復号化装置」は、
「前記復号器において、前記ＤＳＯでフレーム内の先に表示されるフィールドがわかり、前記ＤＳＯおよび前記ＤＦＮより、元画像と同じフィールドである重複して出力するフィールドがどのフィールドであるかがわかり、前記先に表示するフィールドは、ＤＳＯ＝１のときはＡフィールド、ＤＳＯ＝０のときは、Ｂフィールドとし、ＤＦＮ＝１のときにはフィールドを重複して表示し、前記重複すべきフィールドは、ＤＳＯ＝１ならばＡフィールド、ＤＳＯ＝０ならばＢフィールドとする」
ものといえる。
　
　
　以上より、刊行物１の第２の実施例の第１の記録方法とその復号方法に係る発明には、次の発明（以下「引用発明」という。）が記載されているといえる。
　
「ＭＰＥＧ方式で符号化された動画像を記録したビデオ信号を復号化する動画像ビデオ信号復号化装置において、
　メディアから取り出され、復調され、エラー訂正された信号を復号化し、出力する復号器を有し、
　前記復号器は、符号化装置で除去された重複すべきフィールドから画像を複製してフィールドを再構成し、出力するものであり、
　前記メディアに記録されている信号のピクチャヘッダには、第１フィールドを先に表示するか第２フィールドを先に表示するかを示すフラグであるＤＳＯ（ｔｏｐ＿ｆｉｅｌｄ＿ｆｉｒｓｔ）が含まれ、
　前記メディアに記録されている信号のピクチャヘッダには、２フィールド表示を行うか３フィールド表示を行うかを示すフラグであるＤＦＮ（ｎｕｍｂｅｒ＿ｏｆ＿ｆｉｅｌｄ＿ｄｉｓｐｌａｙｅｄ＿ｃｏｄｅ）が含まれ、
　前記復号器において、前記ＤＳＯでフレーム内の先に表示されるフィールドがわかり、前記ＤＳＯおよび前記ＤＦＮより、元画像と同じフィールドである重複して出力するフィールドがどのフィールドであるかがわかり、前記先に表示するフィールドは、ＤＳＯ＝１のときはＡフィールド、ＤＳＯ＝０のときは、Ｂフィールドとし、ＤＦＮ＝１のときにはフィールドを重複して表示し、前記重複すべきフィールドは、ＤＳＯ＝１ならばＡフィールド、ＤＳＯ＝０ならばＢフィールドとする
　動画像ビデオ信号復号化装置。」
　
　
３．３　対比
　
３．３．１　対比
　
　補正後発明と引用発明を対比する。
　
　
（１）　「画面内符号化画像を少なくとも１枚有する画面群構造を形成するように符号化された動画像を復号する画像復号装置」
　
　上記「符号化された動画像」は、前記３．１　補正後発明で検討したとおり、光ディスク２に記録されているＭＰＥＧ２方式の動画像であり、上記「画面内符号化画像を少なくとも１枚有する画面群構造」は、同じく検討のとおり該ＭＰＥＧビデオ規格で規定されるＧＯＰである。
　
　これに対し、引用発明には、
「ＭＰＥＧ方式で符号化された動画像を記録したビデオ信号を復号化する動画像ビデオ信号復号化装置」
が記載されており、「ＭＰＥＧ方式で符号化された画像」が、「画面内符号化画像を少なくとも１枚有する画面群構造を形成するように符号化された動画像」であることは、当業者の一般的な技術事項であり、
　また、引用発明の
「動画像を記録したビデオ信号を復号化する動画像ビデオ信号復号化装置」
は、補正後発明の
「動画像を復号する画像復号装置」
に相当するといえる。
　
　してみると、補正後発明と引用発明とは、
「画面内符号化画像を少なくとも１枚有する画面群構造を形成するように符号化された動画像を復号する画像復号装置」
である点で、一致する。
　
　
（２）　「上記動画像を復号する復号手段」
　
　引用発明の
「メディアから取り出され、復調され、エラー訂正された信号を復号化し、出力する復号器」
において、該「メディアから取り出され、復調され、エラー訂正された信号」は、上記引用発明の符号化された「動画像」の信号であるから、該引用発明の構成は、補正後発明の
「上記動画像を復号する復号手段」
に相当するといえる。
　
　してみると、補正後発明と引用発明とは、「動画像を復号する画像復号装置」が、
「上記動画像を復号する復号手段」
を有する点で、一致する。
　
　
（３）　「上記復号された動画像に冗長フィールドを挿入する挿入手段」
　
　引用発明の
「前記復号器は、符号化装置で除去された重複すべきフィールドから画像を複製してフィールドを再構成し、出力するもの」であること
において、該「符号化装置で除去された重複すべきフィールド」とは、補正後発明の「冗長フィールド」に対応し、該「複製してフィールドを再構成」することは、「挿入する」ことに対応するから、「前記復号器」の当該機能の構成は補正後発明の
「上記復号された動画像に冗長フィールドを挿入する挿入手段」
に相当するといえる。
　
　してみると、補正後発明と引用発明とは、「動画像を復号する画像復号装置」が、
「上記復号された動画像に冗長フィールドを挿入する挿入手段」
を有する点で、一致する。
　
　
（４）　「最初の画像情報のフィールドパリティを示す第一の付属情報並びに冗長フィールドを省略したことを示す第二の付属情報、及び上記各画面群構造内の最初の画像情報が、予め決められたフィールドパリティとされていることに基づいて、上記画像情報の復号化を制御する制御手段」
　
　上記のとおり、補正後発明の「最初の画像情報のフィールドパリティを示す第一の付属情報」は、「トップフィールドファーストフラグ」を含むものであり、同様に「冗長フィールドを省略したことを示す第二の付属情報」は、「リピートファーストフィールドフラグ」を含むものである。
　同じく上記のとおり、この２つのフラグは、ＭＰＥＧ２ビデオ規格のピクチャ層のヘッダ情報のピクチャ符号化機能拡張部に記録されているものである。
　
　ここで、引用発明において記録されている信号のピクチャヘッダには、「第１フィールドを先に表示するか第２フィールドを先に表示するかを示すフラグであるＤＳＯ（ｔｏｐ＿ｆｉｅｌｄ＿ｆｉｒｓｔ）」および「２フィールド表示を行うか３フィールド表示を行うかを示すフラグであるＤＦＮ（ｎｕｍｂｅｒ＿ｏｆ＿ｆｉｅｌｄ＿ｄｉｓｐｌａｙｅｄ＿ｃｏｄｅ）」が記録されている。
　刊行物１の記載によれば、引用発明の該ＤＳＯは、値が１のときに第１フィールドを先に表示する。ここで、この第１フィールドはトップフィールドに、第２フィールドはボトムフィールドにそれぞれ相当することは明らかである。よって、当該記載は、このＤＳＯの値が１に設定されているフレームでは、トップフィールドが先に表示され、０に設定されているフレームでは、ボトムフィールドが先に表示されることを示しているといえる。
　したがって、引用発明の「ＤＳＯ」は、フレームを画面表示する場合に、トップフィールド及びボトムフィールドのどちらをはじめに出力するかを示すフラグであるといえ、「トップフィールドファーストフラグ」と同等であるから、補正後発明の「最初の画像情報のフィールドパリティを示す第一の付属情報」に相当するといえる。
　
　また、同様に、引用発明の「ＤＦＮ」は、値が１のときに元画像と同じフィールドを重複して出力する。つまり、このＤＦＮが１に設定されたコマは、３フィールドとして表示される。
　このとき、該３フィールド表示を行うために、２フィールド表示された後に、重複しているため符号化時には取り除かれてしまったフィールド（トップフィールドまたはボトムフィールド）が挿入される。
　したがって、引用発明の「ＤＦＮ」は、符号化時に省略された元画像と同じフィールドを重複して出力するかどうかを決めるフラグといえ、「リピートファーストフィールドフラグ」と同等であるから、補正後発明の「冗長フィールドを省略したことを示す第二の付属情報」に相当するといえる。
　
　上記のとおり、引用発明の動画像を復号する画像復号装置の符号化装置で除去された重複すべきフィールドから画像を複製してフィールドを再構成し、出力するものであり、該復号器において、前記先に表示するフィールドは、ＤＳＯ＝１のときはＡフィールド、ＤＳＯ＝０のときは、Ｂフィールドとし、ＤＦＮ＝１のときにはフィールドを重複して表示し、前記重複すべきフィールドは、ＤＳＯ＝１ならばＡフィールド、ＤＳＯ＝０ならばＢフィールドとするのであるから、これらＤＳＯ、ＤＦＮに基づいて、ＧＯＰ内の最初の画像を含む動画像データの復号化を制御しているといえる。
　そして、該ＤＳＯ、ＤＦＮに基づいて、ＧＯＰの最初の画像のフィールドパリティがトップフィールドであるかボトムフィールドかがわかり、わかったフィールドパリティに基づいて該復号器は該ＧＯＰ内の最初の画像をこのどちらかのフィールドとして出力するのであるから、前記復号器は、このフィールドパリティにも基づいて、復号化を制御しているといえる。
　したがって、引用発明の復号器が上記動画像データの復号化を制御していることは、補正後発明の「上記画像情報の復号化を制御する制御手段」に相当するといえる。
　
　以上をまとめると、補正後発明と引用発明とは、「動画像を復号する画像復号装置」が、
「最初の画像情報のフィールドパリティを示す第一の付属情報並びに冗長フィールドを省略したことを示す第二の付属情報、及び上記各画面群構造内の最初の画像情報が、所定のフィールドパリティとされていることに基づいて、上記画像情報の復号化を制御する制御手段」
を有する点で、一致する。
　
　もっとも、引用発明は、所定のフィールドパリティが「予め決められた」ものであるとされていない点で相違する。
　
　
３．３．２　一致点、相違点
　
　以上より、補正後発明と引用発明との一致点、相違点は以下のとおりである。
　
（１）　一致点
　
「画面内符号化画像を少なくとも１枚有する画面群構造を形成するように符号化された動画像を復号する画像復号装置において、
　上記動画像を復号する復号手段と、
　上記復号された動画像に冗長フィールドを挿入する挿入手段と、
　最初の画像情報のフィールドパリティを示す第一の付属情報並びに冗長フィールドを省略したことを示す第二の付属情報、及び上記各画面群構造内の最初の画像情報が、所定のフィールドパリティとされていることに基づいて、上記画像情報の復号化を制御する制御手段と
　を有することを特徴とする画像復号化装置。」
　
（２）　相違点
　
　補正後発明は、所定のフィールドパリティが「予め決められた」ものであるのに対し、
　引用発明は、所定のフィールドパリティが「予め決められた」ものであるとされていない点。
　
　
３．４　検討
　
３．４．１　相違点について
　
　補正後明細書の「図１１の（ｃ）の例では、トップフィールドファーストフラグは、１番目と２番目のフレームではトップフィールドが先に表示されるため「１」であり、３番目と４番目のフレームではボトムフィールドが先に表示されるため「０」となる。また、リピートファーストフィールドフラグは、２番目と４番目のフレームでは、冗長フィールドが除去されるので「１」となり、それ以外は、冗長フィールドが存在しないため「０」となる。」（段落【００１４】）、「次に、復号器側では、図１１の（ｆ）に示すようにトップフィールドファーストフラグ及びリピートファーストフィールドフラグを検出し、原入力画像と同じ３：２プルダウンのパターンをもつ動画像を再構成する。すなわち、トップフィールドファーストフラグにより、トップフィールド及びボトムフィールドのうち、どちらのフィールドを先に出力するかを判断し、リピートファーストフィールドフラグにより、繰り返しフィールドを出力するか否かを決定する。」（段落【００１５】）という記載、および、上記のとおり、トップフィールドファーストフラグが「第一の付属情報」であり、リピートファーストフィールドフラグが「第二の付属情報」であることから、
　補正後発明の「最初の画像情報のフィールドパリティを示す第一の付属情報並びに冗長フィールドを省略したことを示す第二の付属情報、及び上記各画面群構造内の最初の画像情報が、予め決められたフィールドパリティとされていることに基づいて、上記画像情報の復号化を制御する」という構成は、
　具体的には、「該第一の付属情報と第二の付属情報とから、各画面群構造内の最初の画像情報のフィールドパリティを検出し、該検出された画面群構造内の最初の画像情報のフィールドパリティに基づいて、符号化された動画像の各画面群構造の画像の復号化が制御される」ことで実現されている。
　してみると、
　補正後発明の「最初の画像情報のフィールドパリティを示す第一の付属情報並びに冗長フィールドを省略したことを示す第二の付属情報、及び上記各画面群構造内の最初の画像情報が、予め決められたフィールドパリティとされていることに基づいて、上記画像情報の復号化を制御する」という構成において、「上記各画面群構造内の最初の画像情報が、予め決められたフィールドパリティとされている」とは、具体的には、「該第一の付属情報と第二の付属情報とから検出され、それに基づいて、上記画像情報の復号化が制御される」最初の画像情報の「パリティ」が、「予め決められた」ものであることをいうと理解できる。
　通常、符号化された動画像の画面群構造内の最初の画像情報のフィールドパリティは符号化装置において符号化する際に決められ、復号化装置は、復号化装置に入力される前に「画面群構造内の最初の画像情報のフィールドパリティが決められた」符号化された動画像を受け取るだけであるから、引用発明における復号化装置においても、通常と同じく、復号化装置に入力する前に「画面群構造内の最初の画像情報のフィールドパリティが決められた」符号化された動画像を受け取るようにすること、すなわち、「画面群構造内の最初の画像情報のフィールドパリティが」「予め」「決められた」ものとすることは、当業者が容易に想到できることである。
　
　次に、上記「予め決められた」フィールドパリティとされていることが、符号化装置において符号化する動画像の各画面群構造（ＧＯＰ）の最初の画面のフィールドパリティを、トップフィールド（またはボトムフィールド）で一定となるようにすることであると理解した場合について検討する。
　動画像の圧縮符号化に際して、ＧＯＰを作成するとき、１つのＧＯＰの対象となる画像の単位は、一般的に一定の時間または画像数になっており、通常、０．５秒、すなわち３０フレーム毎秒の動画像の場合１５フレーム（２４フレーム毎秒の場合は１２フレーム）を１ＧＯＰ単位することは、当業者に広く知られていることである。
　そして、２−３プルダウンを行った動画像の１ＧＯＰを、上記当業者に通常の１５フレームとすると、１ＧＯＰの各画像のフィールド配置は、刊行物１の図９の３０Ｈｚの２−３プルダウンのフィールド配置（Ｔ−Ｂ、Ｔ−Ｂ−Ｔ、Ｂ−Ｔ、Ｂ−Ｔ−Ｂ：１０フィールド＝５フレーム）が３つ繰り返される形となり、各画面群構造の最初の画像のフィールドはトップフィールド（Ｔ）で一定となり、そのフィールドパリティも一定となることが容易に理解できる。
　したがって、上記２−３プルダウンを行っている引用発明において、符号化する動画像の画面群構造であるＧＯＰの単位として、上記当業者に通常の１ＧＯＰあたり１５フレームとすることを採用して、各画面群構造の最初の画像のフィールドパリティが「予め決められた」もの（トップフィールドで一定）となるようにすることは、当業者が容易に想到できることであるといえる。
　
　さらに、符号化装置の設定は、符号化装置を設定する操作者によって設定されるものといえ、操作者において、符号化装置における動画像の画面群構造内の最初の画像情報のフィールドパリティをトップ、ボトムのいずれかにするかは自由に設定できるものといえるが、ある符号化装置で操作者が該フィールドパリティをトップ、ボトムのいずれかにいったん設定した後に、符号化を行う毎にトップ、ボトムを入れ換える必然はなく、符号化装置の設定を変えずに符号化を行うこと、すなわち、トップまたはボトムのいずれかに予め決めておくことは、当業者が容易に想到できることであるといえる。
　
　以上のとおり、引用発明において、画像復号化装置に入力される符号化された動画像の画面群構造内の最初の画像情報のフィールドパリティが「予め決められた」ものとすることは、当業者が容易に想到できることである。
　
　
３．４．２　効果について
　
　上記のとおり、補正後発明の構成は、当業者が容易に想到できることである。そして、補正後発明の効果は、当業者が容易に想到できる構成から予測できる範囲のものである。
　
　
３．４．３　検討のまとめ
　
　上記のとおり、補正後発明の構成は、当業者が容易に想到でき、補正後発明の効果も、当業者が容易に想到できる構成から予測できる範囲のものであるから、補正後発明は、引用発明に基づいて、当業者が容易に発明をすることができたものである。
　
　
３．５　独立特許要件の存否
　
　以上のとおり、補正後発明は、その特許出願前に日本国内において頒布された刊行物１に記載された発明に基いて、その出願前にその発明の属する技術の分野における通常の知識を有する者が容易に発明をすることができたものである。
　したがって、補正後発明は、特許法第２９条第２項の規定により特許を受けることができないものであるから、平成１８年法律第５５号改正附則第３条第１項によりなお従前の例によるとされる同法による改正前の特許法第１７条の２第５項において準用する同法第１２６条第５項の規定に適合しない。
　
　
３．６　まとめ
　
　上記のとおり、本件補正後の請求項３に係る発明（補正後発明）は同特許法第１２６条第５項の規定（独立特許要件）に適合しない。
　したがって、本件補正後の請求項３に係る発明は同法第１２６条第５項の規定に違反するから、同法第１５９条第１項において読み替えて準用する同法第５３条第１項の規定により、本件補正は却下すべきである。
　
　よって、上記結論のとおり決定する。
　
　
　
第ＩＩＩ部　本願発明
　
　
　　平成１８年１２月２７日付手続補正は、上記のように却下した。
　
　本願請求項６に係る発明は、平成１６年２月９日付け願書に添付された特許請求の範囲の請求項６に記載されたとおりのものと認める。そして、請求項６に係る発明（以下、本願発明という）は、次のものである。
　
　
「【請求項６】
　画面内符号化画像を少なくとも１枚有する画面群構造を形成するように符号化された動画像を復号する画像復号装置において、
　上記動画像を復号する復号手段と、
　上記復号された動画像に冗長フィールドを挿入する挿入手段と、
　上記各画面群構造内の最初の画像情報が、予め決められたフィールドパリティとされていることに基づいて、上記画像情報の復号化を制御する制御手段と
　を有することを特徴とする画像復号化装置。」
　
　
　
第ＩＶ部　検討
　
１　刊行物の記載
　
　上記「補正却下の理由　３．２　刊行物の記載」を援用する。
　
　
２　対比
　
　本願発明と補正後発明との関係は、上記「補正却下の理由　１　平成１８年１２月２７日付け手続補正」、および「補正却下の理由　２　補正の検討」で述べた関係にあるから、
　上記「補正却下の理由　３．３　対比（１）〜（３）」の記載の「補正後発明」を「本願発明」と読み換えて援用し、残る構成について、以下（４）に対比する。
　
（４）　「上記各画面群構造内の最初の画像情報が、予め決められたフィールドパリティとされていることに基づいて、上記画像情報の復号化を制御する制御手段」
　
　上記のとおり、引用発明の動画像を復号する画像復号装置の符号化装置で除去された重複すべきフィールドから画像を複製してフィールドを再構成し、出力するものであり、該復号器において、前記先に表示するフィールドは、ＤＳＯ＝１のときはＡフィールド、ＤＳＯ＝０のときは、Ｂフィールドとし、ＤＦＮ＝１のときにはフィールドを重複して表示し、前記重複すべきフィールドは、ＤＳＯ＝１ならばＡフィールド、ＤＳＯ＝０ならばＢフィールドとするのであるから、これらＤＳＯ、ＤＦＮに基づいて、ＧＯＰ内の最初の画像を含む動画像データの復号化を制御しているといえる。
　そして、該ＤＳＯ、ＤＦＮに基づいて、ＧＯＰの最初の画像のフィールドパリティがトップフィールドであるかボトムフィールドかがわかり、わかったフィールドパリティに基づいて該復号器は該ＧＯＰ内の最初の画像をこのどちらかのフィールドとして出力するのであるから、前記復号器は、このフィールドパリティにも基づいて、復号化を制御しているといえる。
　したがって、引用発明の上記動画像データの復号化を制御している復号器は、本願発明の「上記画像情報の復号化を制御する制御手段」に相当するといえる。
　
　してみると、本願発明と引用発明とは、「動画像を復号する画像復号装置」が、
「上記各画面群構造内の最初の画像情報が、所定のフィールドパリティとされていることに基づいて、上記画像情報の復号化を制御する制御手段」
を有する点で一致する。
　
　もっとも、引用発明は、所定のフィールドパリティが「予め決められた」ものであるとされていない点で相違する。
　
　
３　一致点・相違点
　
　
３．１　一致点
　
　上記対比によると、本願発明と引用発明とは、次の点で一致する。
　
「画面内符号化画像を少なくとも１枚有する画面群構造を形成するように符号化された動画像を復号する画像復号装置において、
　上記動画像を復号する復号手段と、
　上記復号された動画像に冗長フィールドを挿入する挿入手段と、
　上記各画面群構造内の最初の画像情報が、所定のフィールドパリティとされていることに基づいて、上記画像情報の復号化を制御する制御手段と
　を有することを特徴とする画像復号化装置。」
　
　
３．２　相違点
　
　本願発明と引用発明とは、次の点で相違する。
　
　本願発明は、所定のフィールドパリティが「予め決められた」ものであるのに対し、
　引用発明は、所定のフィールドパリティが「予め決められた」ものであるとされていない点。
　
　
４．検討
　
　上記「補正却下の理由　３．４　検討」の「補正後発明」を「本願発明」と読み換えて援用する。
　
　
　
第Ｖ部　むすび
　
　以上、検討のとおりであるから、本願請求項６に係る発明は、その特許出願前に日本国内において頒布された刊行物１に記載された発明に基づいて、その出願前にその発明の属する技術の分野における通常の知識を有する者が、容易に発明をすることができたものであるから、特許法第２９条第２項の規定により特許を受けることができないものである。
　そうすると、残る請求項１−５、７−９に係る発明について判断するまでもなく、本願は拒絶すべきものである。
　
　よって、結論のとおり審決する。